(57)【要約】      （修正有）【課題】電子メールによってウェブページに対する入力更新を行う。【解決手段】ネットワークを介して送り込まれる入力情報に基づき予め設定されたウェブページ２０１の内容を更新するウェブサーバ装置２００と、電子メールを受信する電子メールゲートウェイ装置１を備え、電子メールゲートウェイ装置１が、電子メールの宛先情報に対応したウェブページ２０１を特定する手段と、電子メールの内容を特定されたウェブページ２０１への入力情報に変換しこの入力情報をウェブサーバ装置２００に送信する手段とを備えた。【選択図】図１
2009146071.tif 000002
【特許請求の範囲】
【請求項１】
ネットワークを介して送り込まれる入力情報に基づき予め設定されたウェブページの内容を更新するウェブサーバ装置と、前記ネットワークに接続され電子メールを受信する電子メールゲートウェイ装置とを有するウェブページ更新システムであって、
前記電子メールゲートウェイ装置が、前記電子メールの宛先情報に対応した前記ウェブページを特定する手段と、前記電子メールの内容を前記特定されたウェブページへの入力情報に変換し当該入力情報を前記ウェブサーバ装置に送信する手段とを備えたことを特徴とするウェブページ更新システム。
【請求項２】
前記請求項１に記載のウェブページ更新システムにおいて、
前記電子メールゲートウェイ装置は、前記電子メールの宛先情報と当該宛先情報に対応したウェブサーバ又はウェブページのアドレスとの対応情報を記憶した宛先対応記憶手段を備えたことを特徴とするウェブページ更新システム。
【請求項３】
前記請求項１に記載のウェブページ更新システムにおいて、
前記電子メールゲートウェイ装置は、前記電子メールに予め添付された添付情報に対して当該添付情報の送信先に対応した暗号化処理を行う添付情報暗号手段を備えたことを特徴とするウェブページ更新システム。
【請求項４】
前記請求項１に記載のウェブページ更新システムにおいて、
前記電子メールの宛先情報と当該宛先情報に対応したウェブサーバ又はウェブページのアドレスとの対応情報を記憶した宛先対応記憶手段を前記電子メールゲートウェイ装置に併設したことを特徴とするウェブページ更新システム。
【請求項５】
前記請求項１又は４に記載のウェブページ更新システムにおいて、
前記電子メールに予め添付された添付情報に対して当該添付情報の送信先に対応した暗号化処理を行う添付情報暗号手段を前記電子メールゲートウェイ装置に併設した備えたことを特徴とするウェブページ更新システム。
【請求項６】
ネットワークを介して送り込まれる入力情報に基づき予め設定されたウェブページの内容を更新するウェブサーバ装置と、電子メールを受信し当該電子メールメッセージに基づく入力情報を生成する電子メールゲートウェイ装置とを備え、前記ウェブページの更新を行うウェブページ更新方法において、
前記ウェブページ宛の電子メールを受信する電子メール受信工程と、
前記電子メールに含まれるアドレスから前記ウェブページを特定する送信先ウェブページ特定工程と、
前記電子メールのメッセージを前記ウェブページの入力情報に変換する入力情報生成工程と、
前記変換された入力情報を前記ウェブサーバに送信する入力情報送信工程とを備えたことを特徴とするウェブページ更新方法。
【請求項７】
前記請求項６に記載のウェブページ更新方法において、
前記電子メールに予め添付された添付情報がある場合に当該添付情報に対して送信先の前記ウェブページに対応した暗号化処理を行う添付情報暗号化工程を前記入力情報生成工程の前に備えたことを特徴とするウェブページ更新方法。
【請求項８】
ネットワークを介して送り込まれる入力情報に基づき予め設定されたウェブページの内容を更新するウェブサーバ装置と、電子メールを受信し当該電子メールメッセージに基づく入力情報を生成する電子メールゲートウェイ装置とを備え、前記ウェブページの更新を行うためのウェブページ更新プログラムにおいて、
前記ウェブページ宛の電子メールを受信する電子メール受信機能、
前記電子メールに含まれるアドレスから前記ウェブページを特定する送信先ウェブページ特定機能、
前記電子メールのメッセージを前記ウェブページの入力情報に変換する入力情報生成機能、
前記変換された入力情報を前記ウェブサーバに送信する入力情報送信機能、を前記電子メールゲートウェイ装置のコンピュータに実行させることを特徴とするウェブページ更新プログラム。
【請求項９】
前記請求項８に記載のウェブページ更新プログラムにおいて、
前記電子メールに予め添付された添付情報がある場合に当該添付情報に対して送信先の前記ウェブページに対応した暗号化処理を行う添付情報暗号化機能を、前記コンピュータに実行させることを特徴とするウェブページ更新プログラム。
【発明の詳細な説明】
【技術分野】
【０００１】
本発明は、Webシステムに対する情報入力を、電子メールにより行う技術に関する。
【背景技術】
【０００２】
インターネットやイントラネットを介してユーザ間でメッセージのやり取りを行うネットワーク利用形態としては、現在、携帯端末の利用者を含め、電子メールによるメッセージ交換が最も一般的な形態といえる。
一方、電子メールを受け取った側が、当該電子メールのメッセージや各種の情報を複数の利用者間で共有したい場合に、これを実現する手法として、Webサイト(ウェブページ)に情報を入力し公開することにより、複数の利用者間で情報の共有を行うことができる。
【０００３】
この場合、例えばブログ、Ｗｉｋｉに代表される簡易なウェブインタフェースを有するウェブシステムでは、基本的にウェブブラウザなどの書き込み画面を介して、ウェブインタフェースに対するメッセージ等の入力が行われる。
【０００４】
これに対して、各ウェブシステムに電子メールによる入力を受け付けるためのインタフェースを備え、送り込まれた電子メールメッセージを共有情報としてウェブページに設定することにより、電子メールを所定のアドレスへ送信しWebサーバ(以下「ウェブサーバ」という)が提供するウェブページにコメントおよびその関連データの追加更新、並びにユーザ間で情報の共有を行う手法が開示されている(特許文献１)。
【０００５】
【特許文献１】特許３３６６８９２号
【発明の開示】
【発明が解決しようとする課題】
【０００６】
しかしながら、上記関連技術として示される手法では、ウェブシステムへのメッセージ入力やファイルアップロードを電子メールにより行うために、各ウェブシステムに個別に電子メールによる入力を受け付ける電子メール入力用インタフェースを作成する必要が生じ、そのための手間や時間並びにシステム運用のコストがかかるという不都合がある。
【０００７】
又、ウェブシステムに入力、アップロードされたファイルにセキュリティを付与する場合にも同様に、アップロードされたファイルに対して各ウェブシステムで設定された暗号化を行うためのユニットを各ウェブシステムで個別に設ける必要があり、このための手間や時間並びにシステム運用のコストがかかるという不都合があった。
【０００８】
［発明の目的］
本発明は、上記従来例の有する不都合を改善し、ネットワークを介して有効にウェブページの更新を行うウェブページ更新システム、ウェブページ更新方法、およびウェブページ更新プログラムを提供することを、その目的とする。
【課題を解決するための手段】
【０００９】
上記目的を達成するために、本発明に係るウェブページ更新システムは、ネットワークを介して送り込まれる入力情報に基づき予め設定されたウェブページの内容を更新するウェブサーバ装置と、前記ネットワークに接続され電子メールを受信する電子メールゲートウェイ装置とを有するウェブページ更新システムであって、前記電子メールゲートウェイ装置が、前記電子メールの宛先情報に対応した前記ウェブページを特定する手段と、前記電子メールの内容を前記特定されたウェブページへの入力情報に変換し当該入力情報を前記ウェブサーバ装置に送信する手段とを備えた構成をとっている。
【００１０】
又、本発明にかかるウェブページ更新方法は、入力操作用の入力操作キーと、当該入力操作キーからの入力情報に基づく入力情報処理を行う情報処理制御部と、前記入力操作キーを介して指紋情報を読み取る指紋情報読取手段とを備えた携帯情報端末にあって、前記入力操作キーを介して読み取られた当該指紋情報に基づき使用者認証を行う携帯情報端末認証方法において、前記入力操作キーを介して入力される入力情報を前記情報処理制御部が取得し、前記入力操作キーを介して前記指紋情報読取手段が前記指紋情報を読み取り、前記指紋情報に基づき前記情報処理制御部が使用者認証を行い前記入力情報処理の実行を許容するか否かを決定することを特徴とする。
【００１１】
更に、本発明にかかるウェブページ更新プログラムは、入力操作用の入力操作キーを備え当該入力操作キーを介して指紋情報を読み取ると共に前記入力操作キーからの入力情報を処理する携帯情報端末にあって、前記指紋情報に基づいて使用者認証を行う使用者認証機能と、前記認証の結果に基づき前記入力情報に対する処理を行うか否かを決定する処理実行決定機能とを前記携帯情報端末が備えているコンピュータに実行させることを特徴とする。
【発明の効果】
【００１２】
本発明は、以上のように構成され機能するので、これによると、入力情報に基づきウェブページの更新を行うウェブサーバ装置と、受信した電子メールのメッセージを前記ウェブページの入力情報に変換する電子メールゲートウェイ装置を備えた構成としたので、ウェブページに対する更新入力を簡易に行うことができ、且つ異なるウェブサーバ装置に設定されたウェブページへの入力を行うことができる。
【発明を実施するための最良の形態】
【００１３】
［実施形態］
次に、本発明の実施形態の基本的構成内容について、図１に基づき説明する。
【００１４】
本実施形態のウェブページ更新システムは、図１に示すように、電子メールの送信を行う電子メールクライアント３と、この電子メールクライアント３からの電子メールを受信する電子メールサーバ１００と、電子メールサーバ１００にネットワーク１０１を介して接続され電子メールクライアント３からの電子メールを取得すると共に当該電子メールのメッセージをウェブページに対応した入力情報に変換するゲートウェイサーバ(電子メールゲートウェイ装置)１を備えている。
又、ゲートウェイサーバ１に前記ネットワーク１０２を介して接続され上記入力情報を受信すると共に、当該入力情報に基づいて、予め設定されたウェブページ２０１の内容を更新するウェブシステム(ウェブサーバ装置)２００を備えた構成となっている。
更に、上記入力情報の入力先ウェブページのアドレスを記憶するDB(データベース)サーバ２と、ゲートウェイサーバ１に接続され、電子メールに添付された添付情報に対して暗号化処理を行うDRM暗号システム３００とが、それぞれゲートウェイサーバ１に接続されている。
【００１５】
又、上記ゲートウェイサーバ１は、電子メールサーバ１００からゲートウェイサーバ１宛の電子メールを取得する電子メール受信手段１１と、受信された電子メールのアドレスに基づき電子メールメッセージの入力先アドレスを特定する入力先判定手段１２と、上記電子メールに添付情報が添付されている場合に、当該添付情報に付与されるセキュリティ情報を特定するセキュリティ判定手段１３と、特定されたセキュリティ情報の付与を行うセキュリティ付与手段１４と、電子メールのメッセージを入力先ウェブページの入力インタフェースに対応した形式に変換することにより、入力情報を生成するフォーマット変換手段１５と、上記変換生成された入力情報をウェブシステム２００に送信する入力情報送信手段１６とを備えた構成となっている。
これにより、ゲートウェイサーバ１は、電子メールサーバ１００から取得された電子メールの宛先に基づき、入力情報の投稿(入力)先のウェブシステムおよびウェブページを自動的に特定することができ、且つ電子メール形式のメッセージをウェブページ入力用の形式の入力情報に変換すると共に、当該入力情報をウェブシステムに送信することができる。
【００１６】
以下、これを詳説する。
【００１７】
電子メールクライアント３は、ウェブページ２０１に入力する入力内容をメッセージとする電子メールを電子メールサーバ１００に送信する電子メール送信機能を有する。ここで、送信される電子メールのアドレスは、例えば、「ＡＡＡ．ＢＢＢ＠〜」であって、ＡＡＡは、入力先ウェブシステム２００を、ＢＢＢは入力先ウェブシステムの下位層のディレクトリ名(又はファイル名)を示すものとする。
これにより、電子メールクライアント３は、入力先ウェブシステムページ２０１に対応するメールアドレスを指定した電子メールメッセージを送信することができる。
【００１８】
電子メールサーバ１００は、電子メールクライアント３から送り込まれた電子メールを受信し一時的に記憶する電子メール保持機能を備えている。
又、電子メールサーバ１００は、ゲートウェイサーバ１から送り込まれる電子メール受信要求に応じて、当該受信要求に対応する電子メールをゲートウェイサーバ１に送信する電子メール受信応答機能を有する。
ここで、電子メールサーバ１００は、電子メールクライアント３からのウェブページ２０１が指定された電子メールを受信した場合に、当該電子メールを保持していることを示す電子メール保持通知をゲートウェイサーバ１に通知する設定としてもよい。
【００１９】
ゲートウェイサーバ１の電子メール受信手段１１は、ウェブページ２０１への書込みメッセージを含む電子メールを電子メールサーバ１００から受信する電子メール取得機能と、ウェブページ２０１宛の電子メールが格納されているか否かを確認する電子メール受信要求を電子メールサーバ１００に対して定期的に送信する受信要求送信機能とを有する。
これにより、電子メール受信手段１１は、ウェブページ２０１への書込みメッセージを含む電子メールをゲートウェイサーバ１宛の電子メールとして取得することができる。
【００２０】
入力先判定手段１２は、取得された電子メールの宛先メールアドレスをDBサーバ２の入力先設定手段２１に通知する宛先アドレス通知機能を有する。
ここで、例えば、宛先メールアドレスが「ＡＡＡ．ＢＢＢ＠〜」である場合、図２に示すように、ＡＡＡは入力先ウェブシステム２００を示し、ＢＢＢは入力先ウェブシステムの下位層のディレクトリ名(又はファイル名)を示す。
【００２１】
又、入力先判定手段１２は、電子メール受信手段１１で受信された電子メールの宛先メールアドレスから入力先ウェブシステム２００、およびウェブページ２０１を特定するアドレス特定機能を備えていてもよい。
これにより、ゲートウェイサーバ１は、電子メールサーバ１００から自身宛のメールを受信すると共に、メールアドレスから入力先ウェブシステム２００、およびウェブページ２０１を特定することができる。
更に、入力先判定手段１２は、電子メールの宛先メールアドレスを取得すると共にDBサーバ２の入力先設定手段２１に記憶された入力先システム判定テーブル２１Aおよび入力先ディレクトリ判定テーブル２１Bを参照すると共に宛先メールアドレスに対応するアドレスを取得するようにしてもよい。
【００２２】
セキュリティ判定手段１３は、受信した電子メールメッセージの送信元メールアドレス(電子メールクライアント３)と入力先ウェブシステム２００又はそのディレクトリ情報をDBサーバ２のセキュリティ設定手段２２に通知する宛先アドレス通知機能を備えている。
セキュリティ判定手段１３は、受信した電子メールメッセージの送信元メールアドレスと入力先ウェブシステム２００又はそのディレクトリ情報の組み合わせに基づいて、電子メールに添付された添付ファイルに付与するセキュリティ情報を特定するセキュリティ情報特定機能を備えていてもよい。
これにより、電子メールに添付されるファイルに暗号化等のセキュリティ付与を送信元、送信先の情報から適切且つ自動で行えるため、電子メール利用者が意識することなく、添付ファイルのセキュリティを確保することができる。
【００２３】
セキュリティ付与手段１４は、設定されたセキュリティ情報を含む添付ファイルをDRM(Digital Right Management)暗号システム３００に送信する添付ファイル送信機能と、セキュリティ処理が付与されたファイルを受信する添付ファイル受信機能とを有する。
又、セキュリティ付与手段１４は、電子メールに添付されたファイルに対して予め設定されたセキュリティ判定テーブル２２Aに基づき、セキュリティ付与処理を行うセキュリティ付与機能を備えていてもよい。
【００２４】
フォーマット変換手段１５は、受信された電子メールに添付ファイルがあるか否かの判定を行う添付ファイル判定機能を備えている。
又、フォーマット変換手段１５は、電子メールメッセージのタイトル、メッセージを、入力先のウェブページ２０１の入力インタフェースに適合した形式(以下「入力情報」という)に変換する入力情報変換生成機能を備えている。
尚、フォーマット変換手段１５は、ウェブページ２０１の入力インタフェース形式を予め記憶していてもよい。
【００２５】
入力情報送信手段１６が、入力情報およびセキュリティ処理が付与された添付ファイルを入力先ウェブシステム２０１に対して、例えばHTTP POST機能等を用いて送信することにより、ウェブページ２０１への入力を行う
入力情報手段１６は、電子メールの(内容)メッセージ、およびその添付ファイルをウェブページの投稿データ(入力情報)として送信する入力情報送信機能を備えている。
これにより、ゲートウェイサーバ１は、電子メールメッセージのタイトル（Ｓｕｂｊｅｃｔ）と本文、およびセキュリティが付与された添付ファイルをウェブページ２０１に入力することができる。
【００２６】
ＤＢサーバ２は、電子メールの宛先アドレス及び送信元アドレスから、入力先ウェブシステム２００のアドレスを特定する入力先設定手段２１と、添付情報に対して付与すべき必要なセキュリティ種別を設定するセキュリティ設定手段とを備えている。
入力先設定手段２１は、通知された宛先メールアドレスから入力先ウェブシステムを特定するための入力先システム判定テーブル２１Aと、宛先メールアドレスに基づき対象ファイルのアドレスを、入力先ウェブシステムにおけるディレクトリレベルで特定するための入力先ディレクトリ判定テーブル２１Bとを記憶するテーブル記憶機能と、入力先システム判定テーブル２１Aに基づき入力先ウェブシステム２００を、次いで入力先ディレクトリ判定テーブル２１Bに基づきウェブページ２０１のアドレスを特定し、特定されたアドレスを入力先判定手段１２に返信する特定アドレス通知機能を有する。
【００２７】
これにより、ゲートウェイサーバ１は、電子メールに含まれる宛先情報に基づいて、電子メール内容の入力先URL、入力先ウェブシステムID、およびウェブページID（ディレクトリ）を特定することができる。
【００２８】
セキュリティ設定手段２２は、セキュリティ判定手段１３から通知された電子メールの差出人(電子メールクライアント３のFromアドレス)、電子メールの宛先(入力先ウェブシステムID)、および入力先ウェブページIDに基づいて、電子メールに添付されたファイルに付与するセキュリティ情報(セキュリティ情報ID)を特定するセキュリティ情報特定機能を備えている。
又、セキュリティ設定手段２２は、図３に示すように、上記添付ファイルに適用されるセキュリティ情報(セキュリティ情報ID)を特定するためのセキュリティ判定テーブル２２Aを記憶するセキュリティ判定記憶機能を有する。
【００２９】
これにより、セキュリティ設定手段２２は、電子メールメッセージの送信元メールアドレス(電子メールクライアント３)と入力先ウェブシステム２００、又はそのディレクトリ情報の組み合わせ情報を取得して、上記組み合わせ情報に基づいて、添付ファイルに施すセキュリティ情報を特定し、当該セキュリティ情報をセキュリティ判定手段１３に通知することができる。
【００３０】
このため、ゲートウェイサーバ１は、送信元メールアドレス（Ｆｒｏｍアドレス：電子メールクライアント３）と宛先メールアドレス（入力先のウェブシステム２００とページ２０１）に基づいて、電子メールメッセージに添付された添付ファイルに適したセキュリティ情報を特定することができる。
【００３１】
ウェブシステム２００は、予め設定されたウェブページ２０１を記憶すると共に、このウェブページ２０１を、ネットワークを介して公開するウェブサーバ機能を備えている。
ここで、ウェブページ２０１は、ブログやＷｉｋｉ等のウェブサイトのウェブページであって、Webブラウザ(以下「ウェブブラウザ」という)を介して入力を受け付けるウェブ入力(書込み)インタフェースを備えていてもよい。
又、ウェブシステム２００は、入力情報送信手段１６から送り込まれた入力情報および添付ファイルをウェブページ２０１に設定されたブログやＷｉｋｉ等のタイトル、本文、添付ファイルとして入力しウェブページの更新を行うページ入力更新機能を備えている。
【００３２】
DRM(Digital Right Management)暗号システム３００は、要求元(セキュリティ付与手段１４)からネットワーク経由で暗号化要求および暗号化対象ファイル(添付ファイル)を受信する機能と、当該添付ファイルに対して、ＰＤＦ化、暗号化などの処理を行い、セキュリティ付与手段１４に返信する暗号化返信機能を備えている。
【００３３】
更に、ゲートウェイサーバ１は、ネットワークを介して接続される入力先のウェブシステムが複数存在する場合であっても、ＤＢサーバ２に入力先アドレスおよび対応するセキュリティ設定を登録することにより、容易に拡張対応できる。
【００３４】
これにより、ゲートウェイサーバ１は、送り込まれた電子メールの宛先に基づき入力先のウェブシステムを自動的に選択することができ、且つ電子メール形式のメッセージをウェブページ入力用の形式の入力情報に変換すると共に当該入力情報をウェブシステムに送信することにより、ウェブページの更新を行うことができる。
又、ゲートウェイサーバ１は、電子メールに付与される添付ファイルのセキュリティ確保を自動的に行うことができる。
【００３５】
［実施形態の動作説明］
次に、上記実施形態の動作について説明する。
先ず、前記ウェブページ宛の電子メールを受信し(電子メール受信工程)、次いで、電子メールに含まれるアドレスからウェブページを特定する(送信先ウェブページ特定工程)。
次に、電子メールのメッセージを前記ウェブページの入力情報に変換する(入力情報生成工程)と共に、変換された入力情報を前記ウェブサーバに送信する(入力情報送信工程)。
【００３６】
ここで、上記電子メール受信工程、送信先ウェブページ特定工程、入力情報生成工程、および入力情報送信工程については、その実行内容をプログラム化し、コンピュータに実行させる構成としてもよい。
【００３７】
次に、上記実施形態のシステムの動作について図１のフローチャートに基づいて説明する。
【００３８】
まず、電子メールクライアント３が、ウェブページ２０１に入力する入力内容を電子メールメッセージとして送信する(ステップS１０１)。
ここで、宛先の電子メールアドレスは、図２に示すように、予め設定されたアドレスが指定されているものとする。又、送信された電子メールは、電子メールサーバ１００により一時的に保持される。
次いで、ゲートウェイサーバ１の電子メール受信手段１１が、電子メールサーバ１００に対して電子メール受信要求を行い、電子メールサーバ１００に格納された電子メールを取得する(ステップS１０２)。
【００３９】
次に、入力先判定手段１２が、取得された電子メールの宛先メールアドレスをDBサーバ２の入力先設定手段２１に通知する。
ここで、入力先設定手段２１は、通知された宛先メールアドレスから入力先システム判定テーブル２１Aに基づき入力先ウェブシステム２００を、次いで入力先ディレクトリ判定テーブル２１Bに基づきウェブページ２０１のアドレスを特定すると共に特定されたアドレスを入力先判定手段１２に返信する。これにより、電子メールメッセージの入力先(投稿先)アドレスが特定される(ステップS１０３)。
【００４０】
ここでは、例えば、宛先メールアドレスが「ＡＡＡ．ＢＢＢ＠〜」である場合、図２に示すように、ＡＡＡは入力先ウェブシステム２００を示し、ＢＢＢは入力先ウェブシステムの下位層のディレクトリ名(又はファイル名)を示す。
【００４１】
次いで、フォーマット変換手段１５が、受信された電子メールに添付ファイルがあるか否かの判定を行う(ステップS１０４)。
ここで、添付ファイルが電子メールに添付されていない場合、フォーマット変換手段１５が、電子メールメッセージのタイトル、メッセージを、入力先ウェブページ２０１の入力インタフェースに適合した形式(以下「入力情報」という)に変換する(ステップS１０７)。これにより、ウェブページ２０１に対する入力情報が生成される。
【００４２】
尚、ここで添付ファイルが電子メールに添付されていた場合でも、上述と同様にしてフォーマット変換手段１５が、電子メールメッセージのタイトル、メッセージを、入力先ウェブページ２０１の入力インタフェースに適合した形式に変換する設定としてもよい。
【００４３】
又、添付ファイルがある場合には、セキュリティ判定手段１３が、電子メールメッセージの送信元メールアドレス(電子メールクライアント３)と入力先ウェブシステム２００又はそのディレクトリ情報の組み合わせ情報をセキュリティ設定手段２２に通知する。
セキュリティ設定手段は、上記組み合わせ情報に基づいて、添付ファイルに施すセキュリティ情報を特定し、当該セキュリティ情報をセキュリティ判定手段１３に通知する(ステップS１０５)。
ここで、セキュリティ設定手段２２は、電子メールメッセージの送信元メールアドレス(電子メールクライアント３)と入力先ウェブシステム２００又はそのディレクトリ情報の組み合わせを取得すると共に、図３に示すセキュリティ判定テーブル２２Aに基づき、適用されるセキュリティ情報(セキュリティ情報ID)を特定する。
【００４４】
次に、セキュリティ付与手段１４が、設定されたセキュリティ情報を含む添付ファイルをDRM(Digital Right Management)暗号システム３００に送信する。ここで、DRM暗号システム３００は、当該添付ファイルに対して、ＰＤＦ化、暗号化などの処理を行い、セキュリティ処理が付与されたファイルをセキュリティ付与手段１４に返信する(ステップS１０５)。
【００４５】
次に、フォーマット変換手段１５が、電子メールメッセージのタイトル、メッセージを、入力先ウェブページ２０１の入力インタフェースに適合した形式(入力情報)に変換する(ステップS１０７)。
次いで、入力情報送信手段１６が、入力情報およびセキュリティ処理が付与された添付ファイルを入力先ウェブシステム２０１に対して、例えばHTTP POST機能等を用いて送信することにより、ウェブページ２０１への入力を行う(ステップS１０８)。
【００４６】
尚、本実施形態では、入力先のウェブシステム２００およびウェブページ２０１がそれぞれ１つ設定された場合のシステムについて説明されているが、ネットワーク１０２に接続された他の異なるウェブシステムおよびウェブページが設定された場合でも同様に動作し、それぞれにウェブページに対する入力を実行することができる。
【００４７】
以上説明したように、本実施形態では、ブログやＷｉｋｉ等の簡易なウェブ入力インタフェースを持つウェブシステム２００に対して、電子メールクライアント３から電子メールによる入力を容易におこなうことができる。
また、電子メールに添付されるファイルに暗号化等のセキュリティ付与を送信元、および送信先の情報に基づいて適用することができるため、利用者が付与すべきセキュリティ処理を意識することなく、添付情報に対する高いセキュリティが確保することができる。
【００４８】
更に、ネットワークを介して入力先のウェブシステムが複数存在する場合であっても、ＤＢサーバ２に入力先アドレスおよびセキュリティ設定を登録することにより、容易に拡張対応できる。
又、本実施形態ではネットワーク１０１と１０２とが異なる場合の例を示したが、ネットワーク１０１と１０２とが共通のネットワークである場合であっても、電子メールクライアント３から電子メールを送信することにより、ウェブページ２０１に対する入力および添付データの追加更新を行うことができる。
【産業上の利用可能性】
【００４９】
電子メールとブログ、Ｗｉｋｉを組み合わせた企業内情報共有システムや、顧客からの問い合わせを電子メールで受け付けるサポートセンター業務での利用が考えられる。
【図面の簡単な説明】
【００５０】
【図１】本発明によるウェブページ更新システムの一実施例の全体を示す概略構成図である。
【図２】図１に開示したウェブページ更新システムにおける入力先システム判定テーブル２１A、および入力先ディレクトリ判定テーブル２１Bの一例を示す説明図である。
【図３】図１に開示したウェブページ更新システムにおけるセキュリティ判定テーブル２２Aの一例を示す説明図である。
【図４】図１に開示したウェブページ更新システムにおける全体の動作処理ステップを示したフローチャートである。
【符号の説明】
【００５１】
１  ゲートウェイサーバ
２  DBサーバ
３  電子メールクライアント
１１  電子メール受信手段
１２  入力先判定手段
１３  セキュリティ判定手段
１４  セキュリティ付与手段
１５  フォーマット変換手段
１６  入力情報送信手段
２１  入力先設定手段
２１A  入力先システム判定テーブル
２１B  入力先ディレクトリ判定テーブル
２２A  セキュリティ判定テーブル
２２  セキュリティ設定手段
１００  電子メールサーバ
１０１，１０２  ネットワーク
２００  ウェブシステム
２０１  ウェブページ
３００  DRM暗号システム
【図１】
2009146071.tif 000003
【図２】
2009146071.tif 000004
【図３】
2009146071.tif 000005
【図４】
2009146071.tif 000006